(57)【要約】【課題】  EPG情報と受信チャネルとのリンクを確実に行えるようにする。【解決手段】  EPG情報記憶部６９は、放送局装置１からのTeletextデータのうちの放送局装置１（放送局）の特定が可能な第１の部分データを含むEPG情報を記憶する。チューナ部６２は、所定のチャンネルを利用して送信されてきたビデオ信号を受信する。テレテキスト抽出部６７は、ビデオ信号に含まれるTeletextデータの中から、それを送信した放送局の特定が可能な第２の部分データを抽出する。制御部６８は、第１の部分データと第２の部分データとを比較することで、第２の部分データの送信に利用されたチャンネルが割り当てられた放送局は、放送局装置１の管理を行う放送局であるのか否かを特定する。本発明は、EPG情報を利用した放送番組の処理を行う情報処理システムに適用可能である。【選択図】  図７
2006100938.tif 000002
【特許請求の範囲】
【請求項１】
放送番組および放送データを送信する第１の情報処理装置、前記第１の情報処理装置から送信される前記放送番組についてのEPG(Electronic Program Guide）情報を生成して出力する第２の情報処理装置、および、前記第１の情報処理装置から送信された前記放送番組および前記放送データ並びに前記第２の情報処理装置から出力された前記EPG情報のうちの少なくとも１つを利用する処理を実行する第３の情報処理装置からなる情報処理システムにおいて、
前記第２の情報処理装置は、
前記第１の情報処理装置から送信された第１の放送データの中から、前記第１の情報処理装置の管理を行う第１の放送局の特定が可能な第１の部分データを抽出する第１の抽出手段と、
前記第１の抽出手段により抽出された前記第１の部分データを含む前記EPG情報を生成するEPG情報生成手段と、
前記EPG情報生成手段により生成された前記EPG情報を出力する出力手段と
を備え、
前記第３の情報処理装置は、
前記第２の情報処理装置から出力された前記EPG情報を記憶する記憶手段と、
所定のチャンネルを利用して送信されてきた第２の放送データを受信する受信手段と、
前記受信手段に受信された前記第２の放送データの中から、それを送信した第２の放送局の特定が可能な第２の部分データを抽出する第２の抽出手段と、
前記第２の抽出手段により抽出された前記第２の部分データと、前記記憶手段に記憶された前記EPG情報に含まれる前記第１の部分データとを比較することで、前記第２の放送データの送信に利用された前記チャンネルが割り当てられた前記第２の放送局は、前記EPG情報に対応する前記第１の放送局であるのか否かを特定する特定手段と
を備えることを特徴とする情報処理システム。
【請求項２】
放送番組および放送データを送信する第１の情報処理装置、前記第１の情報処理装置から送信される前記放送番組についてのEPG(Electronic Program Guide）情報を生成して出力する第２の情報処理装置、および、前記第１の情報処理装置から送信された前記放送番組および前記放送データ並びに前記第２の情報処理装置から出力された前記EPG情報のうちの少なくとも１つを利用する処理を実行する第３の情報処理装置からなる情報処理システムの情報処理方法において、
前記第２の情報処理装置は、
前記第１の情報処理装置から送信された第１の放送データの中から、前記第１の情報処理装置の管理を行う第１の放送局の特定が可能な第１の部分データを抽出し、
抽出された前記第１の部分データを含む前記EPG情報を生成して、出力し、
前記第３の情報処理装置は、
前記第２の情報処理装置から出力された前記EPG情報を記憶し、
所定のチャンネルを利用して送信されてきた第２の放送データを受信し、
受信された前記第２の放送データの中から、それを送信した第２の放送局の特定が可能な第２の部分データを抽出し、
抽出された前記第２の部分データと、記憶された前記EPG情報に含まれる前記第１の部分データとを比較することで、前記第２の放送データの送信に利用された前記チャンネルが割り当てられた前記第２の放送局は、前記EPG情報に対応する前記第１の放送局であるのか否かを特定する
ことを特徴とする情報処理方法。
【請求項３】
放送番組および放送データを送信する情報処理装置において、
前記情報処理装置自身から送信される前記放送番組についてのEPG(Electronic Program Guide）情報であって、前記放送データのうちの前記情報処理装置自身の管理を行う放送局の特定が可能な部分データを含む前記EPG情報を取得する取得手段と、
前記取得手段により取得された前記EPG情報を、前記放送番組または前記放送データに重畳する重畳手段と、
前記放送番組、前記放送データ、および、前記重畳手段により前記放送番組または前記放送データに重畳された前記EPG情報のそれぞれを送信する送信手段と
を備えることを特徴とする情報処理装置。
【請求項４】
前記放送データは、Teletextのデータであり、
前記放送データのうちの前記部分データは、前記Teletextのデータのヘッダ部分のうちの時間情報を除く部分である
ことを特徴とする請求項３に記載の情報処理装置。
【請求項５】
放送番組および放送データを送信する情報処理装置の情報処理方法において、
前記情報処理装置から送信される前記放送番組についてのEPG(Electronic Program Guide）情報であって、前記放送データのうちの前記情報処理装置の管理を行う放送局の特定が可能な部分データを含むEPG情報を取得する取得ステップと、
前記取得ステップの処理により取得された前記EPG情報を、前記放送番組または前記放送データに重畳する重畳ステップと、
前記放送番組、前記放送データ、および、前記重畳ステップの処理により前記放送番組または前記放送データに重畳された前記EPG情報のそれぞれを、前記情報処理装置が送信することを制御する送信制御ステップと
を含むことを特徴とする情報処理方法。
【請求項６】
放送番組および放送データを送信する送信装置を制御するコンピュータに実行させるプログラムであって、
前記送信装置から送信される前記放送番組についてのEPG(Electronic Program Guide）情報であって、前記放送データのうちの前記送信装置の管理を行う放送局の特定が可能な部分データを含むEPG情報を取得する取得ステップと、
前記取得ステップの処理により取得された前記EPG情報を、前記放送番組または前記放送データに重畳する重畳ステップと、
前記放送番組、前記放送データ、および、前記重畳ステップの処理により前記放送番組または前記放送データに重畳された前記EPG情報のそれぞれを、前記送信装置が送信することを制御する送信制御ステップと
を含むことを特徴とするプログラム。
【請求項７】
所定の放送局から送信される放送番組についてのEPG(Electronic Program Guide）情報を生成して出力する情報処理装置において、
前記放送局から送信された放送データの中から、前記放送局の特定が可能な部分データを抽出する抽出手段と、
前記抽出手段により抽出された前記部分データを含む前記EPG情報を生成するEPG情報生成手段と、
前記EPG情報生成手段により生成された前記EPG情報を出力する出力手段と
を備えることを特徴とする情報処理装置。
【請求項８】
前記放送データは、Teletextのデータであり、
前記放送データのうちの前記部分データは、前記Teletextのデータのヘッダ部分のうちの時間情報を除く部分である
ことを特徴とする請求項７に記載の情報処理装置。
【請求項９】
所定の放送局から送信される放送番組についてのEPG(Electronic Program Guide）情報を生成して出力する情報処理装置の情報処理方法において、
前記放送局から送信された放送データの中から、前記放送局の特定が可能な部分データを抽出する抽出ステップと、
前記抽出ステップの処理により抽出された前記部分データを含む前記EPG情報を生成するEPG情報生成ステップと、
前記EPG情報生成ステップの処理により生成された前記EPG情報を、前記情報処理装置が出力することを制御する出力制御ステップと
を含むことを特徴とする情報処理方法。
【請求項１０】
所定の放送局から送信される放送番組についてのEPG(Electronic Program Guide）情報を生成して出力するEPG処理装置を制御するコンピュータに実行させるプログラムであって、
前記放送局から送信された放送データの中から、前記放送局の特定が可能な部分データを抽出する抽出ステップと、
前記抽出ステップの処理により抽出された前記部分データを含む前記EPG情報を生成するEPG情報生成ステップと、
前記EPG情報生成ステップの処理により生成された前記EPG情報を、前記EPG処理装置が出力することを制御する出力制御ステップと
を含むことを特徴とするプログラム。
【請求項１１】
第１の放送局から放送される放送番組についてのEPG(Electronic Program Guide）情報であって、前記第１の放送局から放送される第１の放送データのうちの前記第１の放送局の特定が可能な第１の部分データを含むEPG情報を記憶する記憶手段と、
所定のチャンネルを利用して送信されてきた第２の放送データを受信する受信手段と、
前記受信手段に受信された前記第２の放送データの中から、それを送信した第２の放送局の特定が可能な第２の部分データを抽出する抽出手段と、
前記抽出手段により抽出された前記第２の部分データと、前記記憶手段に記憶された前記EPG情報に含まれる前記第１の部分データとを比較することで、前記第２の放送データの送信に利用された前記チャンネルが割り当てられた前記第２の放送局は、前記EPG情報に対応する前記第１の放送局であるのか否かを特定する特定手段と
を備えることを特徴とする情報処理装置。
【請求項１２】
前記第１の放送データと前記第２の放送データとは、Teletextのデータであり、
前記第１の放送データのうちの前記第１の部分データと、前記第２の放送データのうちの前記第２の部分データとは、前記Teletextのデータのヘッダ部分のうちの時間情報を除く部分である
ことを特徴とする請求項１１に記載の情報処理装置。
【請求項１３】
記憶手段と受信手段とを少なくとも備える情報処理装置の情報処理方法において、
第１の放送局から放送される放送番組についてのEPG(Electronic Program Guide）情報であって、前記第１の放送局から放送される第１の放送データのうちの前記第１の放送局の特定が可能な第１の部分データを含むEPG情報を、前記記憶手段に記憶させることを制御する記憶制御ステップと、
所定のチャンネルを利用して送信されてきた第２の放送データを、前記受信手段に受信させることを制御する受信制御ステップと、
前記受信制御ステップの制御処理により前記受信手段に受信された前記第２の放送データの中から、それを送信した第２の放送局の特定が可能な第２の部分データを抽出する抽出ステップと、
前記抽出ステップの処理により抽出された前記第２の部分データと、前記記憶制御ステップの制御処理により前記記憶手段に記憶された前記EPG情報に含まれる前記第１の部分データとを比較することで、前記第２の放送データの送信に利用された前記チャンネルが割り当てられた前記第２の放送局は、前記EPG情報に対応する前記第１の放送局であるのか否かを特定する特定ステップと
を含むことを特徴とする情報処理方法。
【請求項１４】
記憶手段と受信手段とを少なくとも備える受信装置を制御するコンピュータに実行させるプログラムであって、
第１の放送局から放送される放送番組についてのEPG(Electronic Program Guide）情報であって、前記第１の放送局から放送される第１の放送データのうちの前記第１の放送局の特定が可能な第１の部分データを含むEPG情報を、前記記憶手段に記憶させることを制御する記憶制御ステップと、
所定のチャンネルを利用して送信されてきた第２の放送データを、前記受信手段に受信させることを制御する受信制御ステップと、
前記受信制御ステップの制御処理により前記受信手段に受信された前記第２の放送データの中から、それを送信した第２の放送局の特定が可能な第２の部分データを抽出する抽出ステップと、
前記抽出ステップの処理により抽出された前記第２の部分データと、前記記憶制御ステップの制御処理により前記記憶手段に記憶された前記EPG情報に含まれる前記第１の部分データとを比較することで、前記第２の放送データの送信に利用された前記チャンネルが割り当てられた前記第２の放送局は、前記EPG情報に対応する前記第１の放送局であるのか否かを特定する特定ステップと
を含むことを特徴とするプログラム。
【発明の詳細な説明】
【技術分野】
【０００１】
本発明は、情報処理システムおよび方法、情報処理装置および方法、並びにプログラムに関し、特に、EPG(Electronic Program Guide）情報が指し示す放送局と、チューナが実際に受信する放送電波のチャネル（周波数）とのリンクを確実に行うことができる、情報処理システムおよび方法、情報処理装置および方法、並びにプログラムに関する。
【背景技術】
【０００２】
近年、放送局からの放送電波を受信し、それに含まれる放送番組や放送データの再生や記録が可能な情報処理装置の普及が著しい。さらに最近では、放送番組の電子番組表（EPG：Electronic Program Guide）を構成するための情報を利用した各種処理を実行可能な情報処理装置も登場してきている。なお、以下、EPGを構成するための情報を一括して、EPG情報と称する。
【０００３】
ただし、係るEPG情報を利用する各種処理の実行のためには、EPG情報が指し示す放送局と、情報処理装置のチューナが実際に受信する放送電波のチャネル（周波数）とのリンク（以下、単に、「EPG情報と受信チャンネルとのリンク」と称する）が必要になる。「EPG情報と受信チャンネルとのリンク」とは例えば、情報処理装置のチューナにより所定のチャネル（以下、受信チャンネルと称する）で実際に受信された放送電波は、何れのEPG情報が指し示す放送局から放送されたものであるのかを特定し、その受信チャンネル、そのEPG情報、および、特定された放送局の３者を対応付けることを指す。
【０００４】
具体的には例えば、非特許文献１のtable-11によると、欧州の標準方式であるEN300 707においては、Application Informationにて放送局の記述とCNI(Country and Network Identifier)とを結びつけている。CNIとは、非特許文献１，２に示されるように、Teletextの信号で定義されているPacket 8/30 format 2に含まれるものであって、欧州内で管理されているUnique IDを各放送局に割り振ったものを指す。放送電波にCNIを埋め込むことで、受信側の情報処理装置は、その放送電波を放送した放送局を特定することが可能になる。また、放送電波と同様にEPG情報にCNIを埋め込むことで、情報処理装置は、EPGが指し示す放送局を特定することも可能である。
【０００５】
従って、欧州における情報処理装置は、EPG情報に含まれるCNIと、受信チャンネルで受信された放送電波（受信信号）に含まれるCNIとを照合し、CNIが一致した場合には、そのCNIが割り振られた放送局を、Application Informationを参照して特定することで、「EPG情報と受信チャンネルとのリンク」を行うことができる。
【非特許文献１】「ETSI  EN  300 707 V1.2.1(2003-04)」、[online]、［2004年9月20日検索］、インターネット,<URL :http://www.etsi.org>
【非特許文献２】「TR  101  ２３１  “EBU web version”(2003-10)」、[online]、［2004年9月20日検索］、インターネット,<URL :http://www.etsi.org>
【発明の開示】
【発明が解決しようとする課題】
【０００６】
しかしながら、欧州の放送局の中にはCNIを送出していない放送局もあり、このような放送局に対して「EPG情報と受信チャンネルとのリンク」を自動的に行うことができない、という課題があった。自動的とは例えば、情報処理装置が、ユーザ操作を介在することなく、自分自身の判断で処理を実行することを指す。なお、ここで言うユーザ操作には、開始指令等のトリガ入力操作は含まれない。
【０００７】
さらに、欧州以外の地域においても、放送局を特定可能なCNIのようなデータが放送電波とEPG情報との両者共に含まれていない場合には、上述した課題が全く同様に生じることになる。
【０００８】
本発明は、このような状況に鑑みてなされたものであり、「EPG情報と受信チャネルとのリンク」を確実に行うことができるようにするものである。
【課題を解決するための手段】
【０００９】
本発明の情報処理システムは、放送番組および放送データを送信する第１の情報処理装置、第１の情報処理装置から送信される放送番組についてのEPG(Electronic Program Guide）情報を生成して出力する第２の情報処理装置、および、第１の情報処理装置から送信された放送番組および放送データ並びに第２の情報処理装置から出力されたEPG情報のうちの少なくとも１つを利用する処理を実行する第３の情報処理装置からなる情報処理システムである。詳細には、本発明の情報処理システムにおいては、第２の情報処理装置は、第１の情報処理装置から送信された第１の放送データの中から、第１の情報処理装置の管理を行う第１の放送局の特定が可能な第１の部分データを抽出する第１の抽出手段と、第１の抽出手段により抽出された第１の部分データを含むEPG情報を生成するEPG情報生成手段と、EPG情報生成手段により生成されたEPG情報を出力する出力手段とを備え、第３の情報処理装置は、第２の情報処理装置から出力されたEPG情報を記憶する記憶手段と、所定のチャンネルを利用して送信されてきた第２の放送データを受信する受信手段と、受信手段に受信された第２の放送データの中から、それを送信した第２の放送局の特定が可能な第２の部分データを抽出する第２の抽出手段と、第２の抽出手段により抽出された第２の部分データと、記憶手段に記憶されたEPG情報に含まれる第１の部分データとを比較することで、第２の放送データの送信に利用されたチャンネルが割り当てられた第２の放送局は、EPG情報に対応する第１の放送局であるのか否かを特定する特定手段とを備えることを特徴とする。
【００１０】
本発明の情報処理システムの情報処理方法は、放送番組および放送データを送信する第１の情報処理装置、第１の情報処理装置から送信される放送番組についてのEPG(Electronic Program Guide）情報を生成して出力する第２の情報処理装置、および、第１の情報処理装置から送信された放送番組および放送データ並びに第２の情報処理装置から出力されたEPG情報のうちの少なくとも１つを利用する処理を実行する第３の情報処理装置からなる情報処理システムの情報処理方法である。詳細には、本発明の情報処理方法においては、第２の情報処理装置は、第１の情報処理装置から送信された第１の放送データの中から、第１の情報処理装置の管理を行う第１の放送局の特定が可能な第１の部分データを抽出し、抽出された第１の部分データを含むEPG情報を生成して、出力し、第３の情報処理装置は、第２の情報処理装置から出力されたEPG情報を記憶し、所定のチャンネルを利用して送信されてきた第２の放送データを受信し、受信された第２の放送データの中から、それを送信した第２の放送局の特定が可能な第２の部分データを抽出し、抽出された第２の部分データと、記憶されたEPG情報に含まれる第１の部分データとを比較することで、第２の放送データの送信に利用されたチャンネルが割り当てられた第２の放送局は、EPG情報に対応する第１の放送局であるのか否かを特定することを特徴とする。
【００１１】
本発明の情報処理システムおよび方法においては、放送番組および放送データを送信する第１の情報処理装置、第１の情報処理装置から送信される放送番組についてのEPG(Electronic Program Guide）情報を生成して出力する第２の情報処理装置、および、第１の情報処理装置から送信された放送番組および放送データ並びに第２の情報処理装置から出力されたEPG情報のうちの少なくとも１つを利用する処理を実行する第３の情報処理装置からなる情報処理システムについて、次のような処理が実行される。即ち、第２の情報処理装置により、第１の情報処理装置から送信された第１の放送データの中から、第１の情報処理装置の管理を行う第１の放送局の特定が可能な第１の部分データが抽出され、抽出された第１の部分データを含むEPG情報が生成されて、出力される。すると、第３の情報処理装置により、第２の情報処理装置から出力されたEPG情報が記憶され、所定のチャンネルを利用して送信されてきた第２の放送データが受信され、受信された第２の放送データの中から、それを送信した第２の放送局の特定が可能な第２の部分データが抽出され、抽出された第２の部分データと、記憶されたEPG情報に含まれる第１の部分データとが比較され、その比較の結果に基づいて、第２の放送データの送信に利用されたチャンネルが割り当てられた第２の放送局は、EPG情報に対応する第１の放送局であるのか否かが特定される。
【００１２】
本発明の第１の情報処理装置は、放送番組および放送データを送信する情報処理装置である。詳細には、本発明の第１の情報処理装置は、第１の情報処理装置自身から送信される放送番組についてのEPG(Electronic Program Guide）情報であって、放送データのうちの第１の情報処理装置自身の管理を行う放送局の特定が可能な部分データを含むEPG情報を取得する取得手段と、取得手段により取得されたEPG情報を、放送番組または放送データに重畳する重畳手段と、放送番組、放送データ、および、重畳手段により放送番組または放送データに重畳されたEPG情報のそれぞれを送信する送信手段とを備えることを特徴とする。
【００１３】
放送データは、Teletextのデータであり、放送データのうちの部分データは、Teletextのデータのヘッダ部分のうちの時間情報を除く部分であるようにすることができる。
【００１４】
本発明の第１の情報処理装置の第１の情報処理方法は、放送番組および放送データを送信する第１の情報処理装置の情報処理方法である。詳細には、本発明の第１の情報処理方法は、第１の情報処理装置から送信される放送番組についてのEPG(Electronic Program Guide）情報であって、放送データのうちの第１の情報処理装置の管理を行う放送局の特定が可能な部分データを含むEPG情報を取得する取得ステップと、取得ステップの処理により取得されたEPG情報を、放送番組または放送データに重畳する重畳ステップと、放送番組、放送データ、および、重畳ステップの処理により放送番組または放送データに重畳されたEPG情報のそれぞれを、情報処理装置が送信することを制御する送信制御ステップとを含むことを特徴とする。
【００１５】
本発明の第１のプログラムは、放送番組および放送データを送信する送信装置を制御するコンピュータに実行させるプログラムであって、送信装置から送信される放送番組についてのEPG(Electronic Program Guide）情報であって、放送データのうちの送信装置の管理を行う放送局の特定が可能な部分データを含むEPG情報を取得する取得ステップと、取得ステップの処理により取得されたEPG情報を、放送番組または放送データに重畳する重畳ステップと、放送番組、放送データ、および、重畳ステップの処理により放送番組または放送データに重畳されたEPG情報のそれぞれを、送信装置が送信することを制御する送信制御ステップとを含むことを特徴とする。
【００１６】
本発明の第１の情報処理装置および方法、並びに、第１のプログラムにおいては、放送番組および放送データを送信する第１の情報処理装置または送信装置（以下、第１の情報処理装置のみ言及する）により次のような処理が実行される。即ち、第１の情報処理装置から送信される放送番組についてのEPG(Electronic Program Guide）情報であって、放送データのうちの第１の情報処理装置の管理を行う放送局の特定が可能な部分データを含むEPG情報が取得され、取得されたEPG情報が放送番組または放送データに重畳され、放送番組、放送データ、および、放送番組または放送データに重畳されたEPG情報のそれぞれが送信される。
【００１７】
本発明の第２の情報処理装置は、所定の放送局から送信される放送番組についてのEPG(Electronic Program Guide）情報を生成して出力する情報処理装置であって、放送局から送信された放送データの中から、放送局の特定が可能な部分データを抽出する抽出手段と、抽出手段により抽出された部分データを含むEPG情報を生成するEPG情報生成手段と、EPG情報生成手段により生成されたEPG情報を出力する出力手段とを備えることを特徴とする。
【００１８】
放送データは、Teletextのデータであり、放送データのうちの部分データは、Teletextのデータのヘッダ部分のうちの時間情報を除く部分であるようにすることができる。
【００１９】
本発明の第２の情報処理装置の第２の情報処理方法は、所定の放送局から送信される放送番組についてのEPG(Electronic Program Guide）情報を生成して出力する情報処理装置の情報処理方法である。詳細には、本発明の第２の情報処理方法は、放送局から送信された放送データの中から、放送局の特定が可能な部分データを抽出する抽出ステップと、抽出ステップの処理により抽出された部分データを含むEPG情報を生成するEPG情報生成ステップと、EPG情報生成ステップの処理により生成されたEPG情報を、第２の情報処理装置が出力することを制御する出力制御ステップとを含むことを特徴とする。
【００２０】
本発明の第２のプログラムは、所定の放送局から送信される放送番組についてのEPG(Electronic Program Guide）情報を生成して出力するEPG処理装置を制御するコンピュータに実行させるプログラムである。詳細には、本発明の第２のプログラムは、放送局から送信された放送データの中から、放送局の特定が可能な部分データを抽出する抽出ステップと、抽出ステップの処理により抽出された部分データを含むEPG情報を生成するEPG情報生成ステップと、EPG情報生成ステップの処理により生成されたEPG情報を、EPG処理装置が出力することを制御する出力制御ステップとを含むことを特徴とする。
【００２１】
本発明の第２の情報処理装置および方法、並びに第２のプログラムにおいては、所定の放送局から送信される放送番組についてのEPG(Electronic Program Guide）情報を生成して出力する第２の情報処理装置またはEPG処理装置（以下、第２の情報処理装置のみ言及する）により次のような処理が実行される。即ち、放送局から送信された放送データの中から、放送局の特定が可能な部分データが抽出され、抽出された部分データを含むEPG情報が生成されて、出力される。
【００２２】
本発明の第３の情報処理装置は、第１の放送局から放送される放送番組についてのEPG(Electronic Program Guide）情報であって、第１の放送局から放送される第１の放送データのうちの第１の放送局の特定が可能な第１の部分データを含むEPG情報を記憶する記憶手段と、所定のチャンネルを利用して送信されてきた第２の放送データを受信する受信手段と、受信手段に受信された第２の放送データの中から、それを送信した第２の放送局の特定が可能な第２の部分データを抽出する抽出手段と、抽出手段により抽出された第２の部分データと、記憶手段に記憶されたEPG情報に含まれる第１の部分データとを比較することで、第２の放送データの送信に利用されたチャンネルが割り当てられた第２の放送局は、EPG情報に対応する第１の放送局であるのか否かを特定する特定手段とを備えることを特徴とする。
【００２３】
第１の放送データと第２の放送データとは、Teletextのデータであり、第１の放送データの第１の部分データと、第２の放送データの第２の部分データとは、Teletextのデータのヘッダ部分のうちの時間情報を除く部分であるようにすることができる。
【００２４】
本発明の第３の情報処理装置の第３の情報処理方法は、記憶手段と受信手段とを少なくとも備える第３の情報処理装置の情報処理方法である。詳細には、第３の情報処理方法は、第１の放送局から放送される放送番組についてのEPG(Electronic Program Guide）情報であって、第１の放送局から放送される第１の放送データのうちの第１の放送局の特定が可能な第１の部分データを含むEPG情報を、記憶手段に記憶させることを制御する記憶制御ステップと、所定のチャンネルを利用して送信されてきた第２の放送データを、受信手段に受信させることを制御する受信制御ステップと、受信制御ステップの制御処理により受信手段に受信された第２の放送データの中から、それを送信した放送局の特定が可能な第２の部分データを抽出する抽出ステップと、抽出ステップの処理により抽出された第２の部分データと、記憶制御ステップの制御処理により記憶手段に記憶されたEPG情報に含まれる第１の部分データとを比較することで、第２の放送データの送信に利用されたチャンネルが割り当てられた第２の放送局は、EPG情報に対応する第１の放送局であるのか否かを特定する特定ステップとを含むことを特徴とする。
【００２５】
本発明の第３のプログラムは、記憶手段と受信手段とを少なくとも備える受信装置を制御するコンピュータに実行させるプログラムである。詳細には、本発明の第３のプログラムは、第１の放送局から放送される放送番組についてのEPG(Electronic Program Guide）情報であって、第１の放送局から放送される第１の放送データのうちの第１の放送局の特定が可能な第１の部分データを含むEPG情報を、記憶手段に記憶させることを制御する記憶制御ステップと、所定のチャンネルを利用して送信されてきた第２の放送データを、受信手段に受信させることを制御する受信制御ステップと、受信制御ステップの制御処理により受信手段に受信された第２の放送データの中から、それを送信した第２の放送局の特定が可能な第２の部分データを抽出する抽出ステップと、抽出ステップの処理により抽出された第２の部分データと、記憶制御ステップの制御処理により記憶手段に記憶されたEPG情報に含まれる第１の部分データとを比較することで、第２の放送データの送信に利用されたチャンネルが割り当てられた第２の放送局は、EPG情報に対応する第１の放送局であるのか否かを特定する特定ステップとを含むことを特徴とする。
【００２６】
本発明の第３の情報処理装置および方法、並びに、第３のプログラムにおいては、記憶手段と受信手段とを少なくとも備える第３の情報処理装置または受信装置により次のような処理が実行される。即ち、第１の放送局から放送される放送番組についてのEPG(Electronic Program Guide）情報であって、第１の放送局から放送される第１の放送データのうちの第１の放送局の特定が可能な第１の部分データを含むEPG情報が記憶手段に記憶され、所定のチャンネルを利用して送信されてきた第２の放送データが受信手段に受信され、受信手段に受信された第２の放送データの中から、それを送信した第２の放送局の特定が可能な第２の部分データが抽出され、抽出された第２の部分データと、記憶手段に記憶されたEPG情報に含まれる第１の部分データとが比較され、その比較の結果に基づいて、第２の放送データの送信に利用されたチャンネルが割り当てられた第２の放送局は、EPG情報に対応する第１の放送局であるのか否かが特定される。
【発明の効果】
【００２７】
以上のごとく、本発明によれば、放送番組や放送データに対する各種処理に、EPG情報を活用することが可能になる。特に、係る各種処理の実行前に必須な「EPG情報と受信チャンネルとのリンク」を確実に行うこと自体ができるか、或いは、そのことを可能にする情報を提供することができる。
【発明を実施するための最良の形態】
【００２８】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３０】
本発明によれば、情報処理システムが提供される。この情報処理システム（例えば、図１の情報処理システム）は、放送番組および放送データを送信する第１の情報処理装置（例えば、図１と図４の放送局装置１）、前記第１の情報処理装置から送信される前記放送番組についてのEPG(Electronic Program Guide）情報を生成して出力する第２の情報処理装置（例えば、図１と図５のEPGサービスプロバイダ装置２）、および、前記第１の情報処理装置から送信された前記放送番組および前記放送データ並びに前記第２の情報処理装置から出力された前記EPG情報のうちの少なくとも１つを利用する処理を実行する第３の情報処理装置（例えば、図１と図７のユーザ装置３）からなる情報処理システムである。詳細には、この情報処理システムにおいて、前記第２の情報処理装置は、前記第１の情報処理装置から送信された第１の放送データの中から、前記第１の情報処理装置の管理を行う第１の放送局の特定が可能な第１の部分データを抽出する第１の抽出手段（例えば、図５のテレテキスト抽出部４３）と、前記第１の抽出手段により抽出された前記第１の部分データを含む前記EPG情報（例えば、図６の構造のEPG情報）を生成するEPG情報生成手段（例えば、図５のEPG情報構築部４５およびEPGデータストリーム生成部４６）と、前記EPG情報生成手段により生成された前記EPG情報を出力する出力手段（例えば、図５のEPGデータストリーム出力部４７）とを備え、前記第３の情報処理装置は、前記第２の情報処理装置から出力された前記EPG情報を記憶する記憶手段（例えば、図７のEPG情報記憶部６９）と、所定のチャンネルを利用して送信されてきた第２の放送データを受信する受信手段（例えば、図７のアンテナ部６１とチューナ部６２）と、前記受信手段に受信された前記第２の放送データの中から、それを送信した第２の放送局の特定が可能な第２の部分データを抽出する第２の抽出手段（例えば、図７のテレテキスト抽出部６７）と、前記第２の抽出手段により抽出された前記第２の部分データと、前記記憶手段に記憶された前記EPG情報に含まれる前記第１の部分データとを比較することで、前記第２の放送データの送信に利用された前記チャンネルが割り当てられた前記第２の放送局は、前記EPG情報に対応する前記第１の放送局であるのか否かを特定する特定手段（例えば、図７の制御部６８）とを備えることを特徴とする。
【００３１】
本発明によれば、情報処理システムの情報処理方法が提供される。この情報処理方法は、上述した本発明の情報処理システムの情報処理方法であって、前記第２の情報処理装置は、前記第１の情報処理装置から送信された第１の放送データの中から、前記第１の情報処理装置の管理を行う第１の放送局の特定が可能な第１の部分データを抽出し（例えば、図８のステップＳ１３とＳ１４の処理を実行し）、抽出された前記第１の部分データを含む前記EPG情報を生成して、出力し（例えば、図８のステップＳ１５とＳ１６の処理を実行し）、前記第３の情報処理装置は、前記第２の情報処理装置から出力された前記EPG情報を記憶し（例えば、図９のステップＳ３４の処理を実行し）、所定のチャンネルを利用して送信されてきた第２の放送データを受信し（例えば、図１０のステップＳ５３とＳ５４の処理を実行し）、受信された前記第２の放送データの中から、それを送信した第２の放送局の特定が可能な第２の部分データを抽出し（例えば、図１０のステップＳ５７の処理を実行し）、抽出された前記第２の部分データ（例えば図１０のステップＳ５７に記載のヘッダ部分packet）と、記憶された前記EPG情報に含まれる前記第１の部分データ（例えば図１０のステップＳ５８に記載のヘッダ部分header）とを比較することで、前記第２の放送データの送信に利用された前記チャンネルが割り当てられている第２の放送局は、前記EPG情報に対応する前記第１の放送局であるのか否かを特定する（例えば、図１０のステップＳ５９，Ｓ６０（ＹＥＳ），Ｓ６１の処理を実行する）ことを特徴とする。
【００３２】
本発明によれば、第１の情報処理装置が提供される。この第１の情報処理装置（例えば、図１と図４の放送局装置１）は、放送番組および放送データを送信する情報処理装置であって、前記情報処理装置自身から送信される前記放送番組についてのEPG(Electronic Program Guide）情報であって、前記放送データのうちの前記情報処理装置自身の管理を行う放送局の特定が可能な部分データを含む前記EPG情報を取得する取得手段（例えば、図４のEPGデータストリーム取得部３１）と、前記取得手段により取得された前記EPG情報を、前記放送番組または前記放送データに重畳する重畳手段（例えば、図４のEPGデータストリーム重畳部３３やTeletext信号挿入部３６）と、前記放送番組、前記放送データ、および、前記重畳手段により前記放送番組または前記放送データに重畳された前記EPG情報のそれぞれを送信する送信手段（例えば、図４の放送電波生成出力部３７）とを備えることを特徴とする。
【００３３】
この第１の情報処理装置において、前記放送データは、Teletextのデータであり（例えば、図２のTeletext画像１１や図３のTeletext画像２１に対応するデータであり）、前記放送データのうちの前記部分データは、前記Teletextのデータのヘッダ部分（例えば、図２の表示領域１２や図３の表示領域２２に対応するヘッダ部分）のうちの時間情報を除く部分である（例えば、図２の例では「○△××  ○××  △△△  ×××」といったパターン文字列部分であり、図３の例では「×○○  △○×」といったパターン文字列部分である）ようにすることができる。
【００３４】
本発明によれば、第１の情報処理方法が提供される。この第１の情報処理方法は、上述した本発明の第１の情報処理装置の情報処理方法であって、前記情報処理装置から送信される前記放送番組についてのEPG(Electronic Program Guide）情報であって、前記放送データのうちの前記情報処理装置の管理を行う放送局の特定が可能な部分データを含むEPG情報を取得する取得ステップ（例えば、図８のステップＳ２２の処理）と、前記取得ステップの処理により取得された前記EPG情報を、前記放送番組または前記放送データに重畳する重畳ステップ（例えば、図９のステップＳ２３やＳ２４の処理）と、前記放送番組、前記放送データ、および、前記重畳ステップの処理により前記放送番組または前記放送データに重畳された前記EPG情報のそれぞれを、前記情報処理装置が送信することを制御する送信制御ステップ（例えば、図９のステップＳ２５の処理）とを含むことを特徴とする。
【００３５】
本発明よれば、第１のプログラムが提供される。この第１のプログラムは、上述した本発明の第１の情報処理方法に対応するプログラムであって、例えば図１２の構成のコンピュータにより実行されるプログラムである。なお、この本発明の第１のプログラムで言う送信装置とは、上述した本発明の第１の情報処理方法で言う第１の情報処理装置に対応する。
【００３６】
さらに本発明によれば、当然ながら、上述した本発明の第１のプログラムが記録された第１の記録媒体も提供される。
【００３７】
本発明によれば、第２の情報処理装置が提供される。この第２の情報処理装置（例えば、図１と図５のEPGサービスプロバイダ装置２）は、所定の放送局から送信される放送番組についてのEPG(Electronic Program Guide）情報を生成して出力する情報処理装置であって、前記放送局から送信された放送データの中から、前記放送局の特定が可能な部分データを抽出する抽出手段（例えば、図５のテレテキスト抽出部４３）と、前記抽出手段により抽出された前記部分データを含む前記EPG情報を生成するEPG情報生成手段（例えば、図５のEPG情報構築部４５とEPGデータストリーム生成部４６）と、前記EPG情報生成手段により生成された前記EPG情報を出力する出力手段（例えば、図５のEPGデータストリーム出力部４７）とを備えることを特徴とする。
【００３８】
この第２の情報処理装置において、前記放送データは、Teletextのデータであり（例えば、図２のTeletext画像１１や図３のTeletext画像２１に対応するデータであり）、前記放送データのうちの前記部分データは、前記Teletextのデータのヘッダ部分（例えば、図２の表示領域１２や図３の表示領域２２に対応するヘッダ部分）のうちの時間情報を除く部分である（例えば、図２の例では「○△××  ○××  △△△  ×××」といったパターン文字列部分であり、図３の例では「×○○  △○×」といったパターン文字列部分である）ようにすることができる。
【００３９】
本発明によれば、第２の情報処理方法が提供される。この第２の情報処理方法は、上述した本発明の第２の情報処理装置の情報処理方法である。詳細には、この第２の情報処理方法は、所定の放送局から送信された放送データの中から、前記放送局の特定が可能な部分データを抽出する抽出ステップ（例えば、図８のステップＳ１３とＳ１４の処理）と、前記抽出ステップの処理により抽出された前記部分データを含む前記EPG情報を生成するEPG情報生成ステップ（例えば、図８のステップＳ１５の処理（Ｓ１６の処理の一部分を含んでもよい））と、前記EPG情報生成ステップの処理により生成された前記EPG情報を、前記情報処理装置が出力することを制御する出力制御ステップ（例えば、図８のステップＳ１６の処理のうちの少なくとも一部分）とを含むことを特徴とする。
【００４０】
本発明よれば、第２のプログラムが提供される。この第２のプログラムは、上述した本発明の第２の情報処理方法に対応するプログラムであって、例えば図１２の構成のコンピュータにより実行されるプログラムである。なお、この本発明の第２のプログラムで言うEPG処理装置とは、上述した本発明の第２の情報処理方法で言う第２の情報処理装置に対応する。
【００４１】
さらに本発明によれば、当然ながら、上述した本発明の第２のプログラムが記録された第２の記録媒体も提供される。
【００４２】
本発明によれば、第３の情報処理装置が提供される。この第３の情報処理装置（例えば、図１と図７のユーザ装置３）は、第１の放送局から放送される放送番組についてのEPG(Electronic Program Guide）情報であって、前記第１の放送局から放送される第１の放送データのうちの前記第１の放送局の特定が可能な第１の部分データを含むEPG情報を記憶する記憶手段（例えば、図７のEPG情報記憶部６９）と、所定のチャンネルを利用して送信されてきた第２の放送データを受信する受信手段（例えば、図７のアンテナ部６１とチューナ部６２）と、前記受信手段に受信された前記第２の放送データの中から、それを送信した第２の放送局の特定が可能な第２の部分データを抽出する抽出手段（例えば、図７のテレテキスト抽出部６７）と、前記抽出手段により抽出された前記第２の部分データと、前記記憶手段に記憶された前記EPG情報に含まれる前記第１の部分データとを比較することで、前記第２の放送データの送信に利用された前記チャンネルが割り当てられた前記第２の放送局は、前記EPG情報に対応する前記第１の放送局であるのか否かを特定する特定手段（例えば、図７の制御部６８）とを備えることを特徴とする。
【００４３】
この第３の情報処理装置において、前記第１の放送データと前記第２の放送データとは、Teletextのデータであり（例えば、図２のTeletext画像１１や図３のTeletext画像２１に対応するデータであり）、前記第１の放送データのうちの前記第１の部分データと、前記第２の放送データのうちの前記第２の部分データとは、前記Teletextのデータのヘッダ部分（例えば、図２の表示領域１２や図３の表示領域２２に対応するヘッダ部分）のうちの時間情報を除く部分である（例えば、図２の例では「○△××  ○××  △△△  ×××」といったパターン文字列部分であり、図３の例では「×○○  △○×」といったパターン文字列部分である）ようにすることができる。
【００４４】
本発明によれば、第３の情報処理方法が提供される。この第３の情報処理方法は、上述した記憶手段と受信手段とを少なくとも備える本発明の第３の情報処理装置の情報処理方法であって、第１の放送局から放送される放送番組についてのEPG(Electronic Program Guide）情報であって、前記第１の放送局から放送される第１の放送データのうちの前記第１の放送局の特定が可能な第１の部分データを含むEPG情報を、前記記憶手段に記憶させることを制御する記憶制御ステップ（例えば、図９のステップＳ３４の処理）と、所定のチャンネルを利用して送信されてきた第２の放送データを、前記受信手段に受信させることを制御する受信制御ステップ（例えば、図１０のステップＳ５３とＳ５４の処理）と、前記受信制御ステップの制御処理により前記受信手段に受信された前記第２の放送データの中から、それを送信した第２の放送局の特定が可能な第２の部分データを抽出する抽出ステップ（例えば、図１０のステップＳ５７の処理）と、前記抽出ステップの処理により抽出された前記第２の部分データと、前記記憶制御ステップの制御処理により前記記憶手段に記憶された前記EPG情報に含まれる前記第１の部分データとを比較することで、前記第２の放送データの送信に利用された前記チャンネルが割り当てられた前記第２の放送局は、前記EPG情報に対応する前記第１の放送局であるのか否かを特定する特定ステップ（例えば、図１０のステップＳ５９，Ｓ６０（ＹＥＳ），Ｓ６１の処理）とを含むことを特徴とする。
【００４５】
本発明よれば、第３のプログラムが提供される。この第３のプログラムは、上述した本発明の第３の情報処理方法に対応するプログラムであって、例えば図１２の構成のコンピュータにより実行されるプログラムである。なお、この本発明の第３のプログラムで言う受信装置とは、上述した本発明の第３の情報処理方法で言う第３の情報処理装置に対応する。
【００４６】
さらに本発明によれば、当然ながら、上述した本発明の第３のプログラムが記録された第３の記録媒体も提供される。
【００４７】
次に、図面を参照して、本発明の実施の形態について説明する。
【００４８】
図１は、本発明が適用される情報処理システムの構成例を示している。
【００４９】
図１に示されるように、この情報処理システムは、放送局装置１、EPGサービスプロバイダ装置２、および、ユーザ装置３から構成される。なお、放送局装置１、EPGサービスプロバイダ装置２、および、ユーザ装置３のそれぞれの台数は、図１の例では１台とされているが、何れの装置も当然ながら任意の台数で構わない。
【００５０】
放送局装置１は、所定のチャンネル（周波数）が割り当てられた図示せぬ放送局により管理され、そのチャンネルを利用して放送電波を送信する。
【００５１】
この放送電波には、放送番組を構成するビデオ信号や音声信号が含まれる他、所定の放送データも含まれている。具体的には例えば、欧州の放送局おいては、上述した非特許文献１，２に示されるTeletextのデータが放送データに該当する。このTeletextのデータには、例えば図２や図３に示されるような、ページ単位の文字放送用画像（以下、Teletext画像と称する）のデータが含まれている。即ち、図２と図３は、所定の放送局についての所定のページのTeletext画像の一例が示されている。
【００５２】
図２のTeletext画像１１の一番上の表示領域１２は、対応するTeletextのデータのヘッダ部分に含まれる情報が表示される領域である。即ち、図２の例では、Teletext画像１１に対応するTeletextのデータのヘッダ部分には、「○△××  ○××  △△△  ×××  １９．０８．０４  １４：０７：１３」といった文字列が含まれていることがわかる。
【００５３】
同様に、図３のTeletext画像２１の一番上の表示領域２２も、対応するTeletextのデータのヘッダ部分に含まれる情報が表示される領域である。即ち、図３の例では、Teletext画像２１に対応するTeletextのデータのヘッダ部分には、「×○○  △○×  ４  ｄｏ  １９  ａｕｇ」といった文字列が含まれていることがわかる。
【００５４】
これらのTeletextのデータのヘッダ部分のうちの前半部分は、対応する放送局名などを含むその放送局が独自に決めたパターン文字列の部分であって、このパターン文字列は変化することがほとんどないことが経験上わかっている。即ち例えば、図２の例においては、「○△××  ○××  △△△  ×××」という文字列部分は、Teletext画像１１に対応するTeletextのデータを送信する放送局が独自に決めたパターン文字列部分であって、このパターン文字列部分は変化することがほとんどないことが経験上わかっている。同様に、図３の例においては、「×○○  △○×」という文字列部分は、Teletext画像２１に対応するTeletextのデータを送信する放送局が独自に決めたパターン文字列部分であって、このパターン文字列部分は変化することがほとんどない事が経験上わかっている。
【００５５】
また、Teletextのデータのヘッダ部分のうちの後半部分には、一般的に、日付や時刻の時間情報が挿入されることもよく知られている。例えば、図２の例においては、「○△××  ○××  △△△  ×××  」というパターン文字列部分に続いて、「１９．０８．０４  １４：０７：１３」といった日付や時刻の時間情報が挿入されていることがわかる。同様に、図３の例においては、「×○○  △○×」というパターン文字列部分に続いて、「４  ｄｏ  １９  ａｕｇ」といった日付や時刻の時間情報が挿入されていることがわかる。
【００５６】
以上のことから、Teletextのデータのヘッダ部分のうちの、日付や時刻の時間情報を除く前半部分、即ち、所定のパターン文字列部分は、対応する放送局の特定が可能な部分であることがわかる。
【００５７】
そこで、本発明人は、欧州におけるユーザ装置３が上述した「EPG情報と受信チャンネルとのリンク」を行う場合、CNIを送出しない放送局を同定（特定）するための情報として、Teletextのデータのヘッダ部分のうちの時間情報を除く前半部分を利用できると思想した。
【００５８】
さらに、欧州におけるユーザ装置３が「EPG情報と受信チャンネルとのリンク」を行うためには、EPG情報を利用する必要があることから、本発明人は、この思想に基づいて、所定の放送局のTeletextのデータのヘッダ部分のうちの時間情報を除く前半部分を、その放送局のEPG情報の中に含める手法を発明した。
【００５９】
この手法が適用されると、例えば、放送局装置１が図２の例のTeletext画像１１に対応するTeletextのデータを送信する場合には、放送局装置１の管理を行う放送局のEPG情報には、Teletextのデータのヘッダ部分（その表示領域１２）のうちの「○△××  ○××  △△△  ×××」というパターン文字列部分が含められることになる。同様に、例えば、放送局装置１が図３の例のTeletext画像２１に対応するTeletextのデータを送信する場合には、放送局装置１の管理を行う放送局のEPG情報には、Teletextのデータのヘッダ部分（その表示領域２２）のうちの「×○○  △○×」というパターン文字列部分が含められることになる。
【００６０】
なお、係る手法の実現例、即ち、Teletextのデータのヘッダ部分のうちの時間情報を除く前半部分を含むEPG情報の実現例については、図６を参照して後述する。
【００６１】
ところで、上述したように、従来の課題は、CNIのみならず、放送局を特定可能なデータが放送電波とEPG情報との両者共に含まれていない場合にも全く同様に生じることになる。即ち、CNIを利用しない欧州以外の地域においても、放送局を特定可能なデータが放送電波とEPG情報との両者共に含まれていない場合には従来の課題が全く同様に生じることになる。
【００６２】
そこで、欧州以外の地域でも従来の課題を解決することを目的として、本発明人はさらに、所定の放送局から放送される放送データのうちの当該放送局を特定可能な部分（以下、放送局特定部分と称する）を、当該放送局のEPG情報に含める手法を発明した。
【００６３】
換言すると、係る手法の一例として例えば、欧州における所定の放送局のEPG情報の中に、当該放送局のTeletextのデータのヘッダ部分のうちの時間情報を除く部分を含めるといった上述した手法が存在することになる。
【００６４】
係る手法に対応する処理、即ち、放送局特定部分を含むEPG情報の生成処理を実行可能な装置として、例えば図１の例では、EPGサービスプロバイダ装置２が設けられている。
【００６５】
即ち、EPGサービスプロバイダ装置２は、図示せぬEPGサービスプロバイダにより管理され、放送局装置１の管理を行う放送局についての番組メタ情報等の各種情報を取得して保存する。また、EPGサービスプロバイダ装置２は、放送局装置１から送信された放送データ（例えば欧州においてはTeletextのデータ）を受信し、それから放送局特定部分（例えばTeletextのデータの場合、そのヘッダ部分のうちの時間情報を除く部分）を抽出する。そして、EPGサービスプロバイダ装置２は、番組メタ情報等の他さらに、放送局特定部分を含むEPG情報を構築し、そのEPG情報からEPGデータストリームを生成する。
【００６６】
上述した非特許文献１，２によると、このEPGデータストリームはTeletextのデータに含めることが規定されているので、欧州においては一般的に、EPG情報は、放送局装置１からの放送電波に含められて、ユーザ装置３に提供されることが多い。
【００６７】
そこで例えば、欧州におけるEPGサービスプロバイダ装置２は、EPGデータストリームを放送局装置１に提供する。このとき、放送局装置１がネットワーク４に接続されていれば、EPGサービスプロバイダ装置２は、必要に応じて、EPGデータストリームをネットワーク４を介して放送局装置１に送信することもできる。
【００６８】
ただし、EPGデータストリームのユーザ装置３への提供経路は、放送局装置１を介在する必要は特に無く、任意の経路で構わない。具体的には例えば、EPGサービスプロバイダ装置２は、必要に応じて、EPGデータストリームをネットワーク４を介してユーザ装置３に送信することもできる。
【００６９】
ユーザ装置３は、図示せぬユーザにより管理され、放送局装置１から送信された放送電波を受信し、その放送電波に含まれる放送番組や放送データ（例えば欧州においてはTeletextのデータ）に対して各種処理を施すことができる。ここで言う各種処理とは例えば、放送番組を構成するデータや放送データを保存したり、それらのデータに対応する画像や音声を出力するまでに必要な一連の処理を含む。
【００７０】
ただし、ユーザ装置３は、係る各種処理を実行する前に、上述した「EPG情報と受信チャンネルとのリンク」を行っておく必要がある。この場合、ユーザ装置３は、放送電波とEPG情報との両者共に含まれる上述した放送局特定部分（例えばTeletextのデータの場合、そのヘッダ部分のうちの時間情報を除く部分）を利用することができる。
【００７１】
詳細には例えば、ユーザ装置３は、放送局装置１の管理を行う放送局についてのEPG情報（以下、放送局装置１のEPG情報と称する）を、放送局装置１自身またEPGサービスプロバイダ装置２から取得して、記憶する。
【００７２】
また例えば、ユーザ装置３は、所定のチャンネルを受信チャンネルに設定して放送電波を受信して、その放送電波に含まれる放送局特定部分を抽出する。
【００７３】
このとき受信チャンネルで受信された放送電波は、図１の例では放送局装置１からの放送電波となる。しかしながら、「EPG情報と受信チャンネルとのリンク」の実行前の時点では、ユーザ装置３は、このことを認識することがまだできない。換言すると、ユーザ装置３がこのことを認識できないからこそ、「EPG情報と受信チャンネルとのリンク」を行う必要があるのである。
【００７４】
そこで例えば、ユーザ装置３は、放送局装置１のEPG情報に含まれる第１の放送局特定部分と、受信チャンネルで受信された放送電波に含まれる第２の放送局特定部分とを比較し、第１の放送局特定部分と第２の放送局特定部分とが一致している場合、受信チャンネルが割り当てられた放送局は、放送局装置１のEPG情報が指し示す放送局であると特定（同定）し、放送局装置１についての「EPG情報と受信チャンネルとのリンク」を行う。
【００７５】
これに対して例えば、第１の放送局特定部分と第２の放送局特定部分とが不一致である場合、ユーザ装置３はさらに、第２の放送局特定部分と同一の放送局特定部分を含む他のEPG情報を検索する。そして、ユーザ装置３は、このような他のEPG情報を検索できた場合には、受信チャンネルが割り当てられた放送局は、検索された他のEPG情報が指し示す放送局（放送局装置１以外の図示せぬ他の放送局装置の管理を行う放送局）であると特定し、検索されたEPG情報についての「EPG情報と受信チャンネルとのリンク」を行う。
【００７６】
なお、欧州においては、上述したように、放送電波にCNIが含まれている場合が多い。このような場合、ユーザ装置３は、初めに、上述したCNIを利用した従来の「EPG情報と受信チャンネルとのリンク」を行い、その後、従来の「EPG情報と受信チャンネルとのリンク」が不可能であったチャンネル、即ち、CNIを送信しない放送局に割り当てられたチャンネルについてのみ、上述した放送局特定部分を利用した本発明の「EPG情報と受信チャンネルとのリンク」を行うとよい。
【００７７】
以上、図１を参照して、本発明が適用される情報処理システムの構成例について説明した。
【００７８】
係る情報処理システムにおいて、放送局装置１は、放送番組を送信可能であり、かつ、放送局特定部分を含む放送データを送信可能であれば、その実施の形態は特に限定されない。EPGサービスプロバイダ装置２は、放送局特定部分を含むEPG情報を生成可能かつ出力可能であれば、その実施の形態は特に限定されない。ユーザ装置３は、EPGサービスプロバイダ装置２から出力されたEPG情報に含まれる第１の放送局特定部分と、放送局装置１が受信チャンネルを利用して送信してきた放送データに含まれる第２の放送局特定部分とを利用して、「EPG情報と受信チャンネルとのリンク」を行うことが可能であれば、その実施の形態は特に限定されない。
【００７９】
ただし、以下においては、放送局装置１は、放送局特定部分を含む放送データとして、上述した非特許文献１，２で規定されているTeletextのデータ（信号）を送信するとする。即ち、以下においては、放送局特定部分として、Teletextの信号のヘッダ部分のうちの時間情報を除くパターン文字列部分が利用されるとする。また、以下においては、EPG情報は、Teletextの信号に含められて、放送局装置１からユーザ装置３に提供されるとする。
【００８０】
この場合、放送局装置１は、例えば図４に示される機能的構成を有することができる。EPGサービスプロバイダ装置２は、例えば図５に示される機能的構成を有することができる。係る図５の機能的構成を有するEPGサービスプロバイダ装置２は、例えば図６に示される構造のEPG情報を構築することができる。ユーザ装置３は、例えば図７に示される機能的構成を有することができる。
【００８１】
即ち、図４は、本発明が適用される放送局装置１の機能的構成の一例を示している。図５は、本発明が適用されるEPGサービスプロバイダ装置２の機能的構成の一例を示している。図６は、本発明が適用されるEPG情報の構造の一例を示している。図７は、本発明が適用されるユーザ装置３の機能的構成の一例を示している。そこで、以下、図４乃至図７のうちの対応する図面を参照して、放送局装置１、EPGサービスプロバイダ装置２、および、ユーザ装置３のそれぞれの機能的構成例について、その順番に個別に説明していく。
【００８２】
はじめに、図４を参照して、放送局装置１の機能的構成例について説明する。
【００８３】
放送局装置１は、EPGデータストリーム取得部３１乃至放送電波生成出力部３７を含むように構成される。
【００８４】
EPGデータストリーム取得部３１は、EPGサービスプロバイダ装置２から出力されたEPGデータストリームを取得して、EPGデータストリーム重畳部３３に提供する。なお、上述したように、このEPGデータストリームは、EPGサービスプロバイダ装置２からEPGデータストリーム取得部３１に対して直接供給される場合もあるし、EPGサービスプロバイダ装置２からネットワーク４を介してEPGデータストリーム取得部３１に対して供給される場合もある。
【００８５】
Teletext信号取得部３２は、外部から供給されるTeletekt信号（データ）を取得して、EPGデータストリーム重畳部３３に供給する。なお、ここで言う外部とは、放送局装置１から見た外部を指し、放送局が放送局装置１と共に管理する他の装置である場合もあるし、放送局以外の他者が管理する他の装置である場合もある。
【００８６】
EPGデータストリーム重畳部３３は、EPGデータストリーム取得部３１から供給されたEPGデータストリームを、Teletext信号取得部３２から供給されたTeletext信号に重畳して、Teletext信号挿入部３６に供給する。なお、EPGデータストリーム取得部３１からEPGデータストリームが供給されていない場合には、EPGデータストリーム重畳部３３は、Teletext信号取得部３２から供給されたTeletext信号をそのまま、Teletext信号挿入部３６に供給する。
【００８７】
ところで、放送局装置１の管理を行う放送局の放送番組は外部から放送局装置１に提供される。なお、ここで言う外部とは、放送局装置１から見た外部を指し、放送局が放送局装置１と共に管理する他の装置である場合もあるし、放送局以外の他者が管理する他の装置である場合もある。
【００８８】
詳細には例えば、放送番組を構成するビデオ信号と音声信号（オーディオ信号）のうちの、ビデオ信号はビデオ信号取得部３４に供給され、音声信号は音声信号取得部３５に供給される。そこで、ビデオ信号取得部３４は、このビデオ信号を取得して、Teletext信号挿入部３６に供給する。一方、音声信号取得部３５は、この音声信号を取得して、放送電波生成出力部３７に供給する。
【００８９】
Teletext信号挿入部３６は、EPGデータストリーム重畳部３３から供給されたTeletext信号を、ビデオ信号取得部３４から供給されたビデオ信号の所定の部分に挿入して、放送電波生成出力部３７に供給する。
【００９０】
放送電波生成出力部３７は、Teletext信号挿入部３６から供給されたビデオ信号と、音声信号取得部３５から供給された音声信号とを含む放送電波を生成して、出力する。放送電波生成出力部３７から出力された放送電波は、EPGサービスプロバイダ装置２やユーザ装置３に受信されることになる。
【００９１】
以上、図４を参照して、放送局装置１の機能的構成例について説明した。
【００９２】
次に、図５を参照して、EPGサービスプロバイダ装置２の機能的構成例について説明する。
【００９３】
EPGサービスプロバイダ装置２は、アンテナ部４１乃至EPGデータストリーム出力部４７を含むように構成される。
【００９４】
チューナ部４２は、所定のチャンネルの放送電波、即ち例えば同図の例では放送局装置１から放送された放送電波をアンテナ部４１を介して受信し、それをビデオ信号と音声信号とに復調して、そのうちの少なくともビデオ信号をテレテキスト抽出部４３に供給する。
【００９５】
テレテキスト抽出部４３は、チューナ部４２から供給されたビデオ信号からTeletext信号を抽出し、さらに、そのTeletext信号のヘッダ部分のうちの日付や時刻の時間情報を除く前半部分（パターン文字列部分）を抽出し、EPG情報構築部４５に供給する。即ち、テレテキスト抽出部４３は、Teletext信号のヘッダ部分のうちの時間情報を除く前半部分を、放送局装置１の管理を行う放送局についての放送局特定部分（以下、放送局装置１の放送局特定部分と称する）として抽出し、EPG情報構築部４５に供給する。
【００９６】
具体的には例えば、図２の例のTeletext画像１１に対応するTeletext信号を含むビデオ信号がチューナ部４２から供給された場合には、テレテキスト抽出部４３は、Teletext信号のヘッダ部分（その表示領域１２）のうちの「○△××  ○××  △△△  ×××」というパターン文字列部分を、放送局装置１の放送局特定部分として抽出し、EPG情報構築部４５に供給することになる。同様に、例えば、図３の例のTeletext画像２１に対応するTeletext信号を含むビデオ信号がチューナ部４２から供給された場合には、テレテキスト抽出部４３は、Teletext信号のヘッダ部分（その表示領域２２）のうちの「×○○  △○×」というパターン文字列部分を、放送局装置１の放送局特定部分として抽出し、EPG情報構築部４５に供給することになる。
【００９７】
なお、テレテキスト抽出部４３は、ここでは、適当なアルゴリズムを用いて、Teletext信号のヘッダ部分のうちの時間情報を除く前半部分を自動的に抽出するとする。ただし、図示はしないが例えば、EPGサービスプロバイダ装置２に操作部が設けられていれば、EPGサービスプロバイダがその操作部を手動操作し、テレテキスト抽出部４３がその手動操作を認識することで、Teletext信号のヘッダ部分のうちの時間情報を除く前半部分を抽出することもできる。
【００９８】
また、Teletext信号のヘッダ部分のうちの時間情報を除く前半部分の抽出とは、Teletext信号のヘッダ部分から前半部分を積極的に抽出することを当然ながら含む他、さらに、Teletext信号のヘッダ部分から日付や時刻の時間情報を削除することも含む広義な概念である。
【００９９】
EPGデータベース４４は、放送局装置１のEPG情報を構築するために必要な各種情報、例えばいわゆる番組メタ情報等を予め記憶している。なお、EPGデータベース４４に記憶される各種情報の提供元、その提供元からの各種情報の入手方法、入手された各種情報のEPGデータベース４４への記憶方法等については特に限定されない。
【０１００】
EPG情報構築部４５は、EPGデータベース４４に予め記憶された各種情報、および、テレテキスト抽出部４３から供給された放送局特定部分を利用して、例えば図６に示される構造のEPG情報を構築し、EPGデータストリーム生成部４６に供給する。
【０１０１】
即ち、図６は、上述したように、本発明が適用されるEPG情報の構造の一例を示している。そこで、以下、図６を参照して、本発明が適用されるEPG情報の構造の一例について説明する。
【０１０２】
図６の例のEPG情報の構造は、上述した非特許文献１のTable1-11に示される構造に基づいて、本発明人により新たに発明された構造である。即ち、本発明人は、上述した非特許文献１のTable1-11に示される構造に対して、２４行目に示される「header_length(j)」という新たな情報を付加し、かつ、４２乃至４４行目に示される「for(l=0;l<header_length[j];l++){text_chair}」という新たな情報を付加した図６の構造のEPG情報を発明した。係る新たな付加情報は、図５のテレテキスト抽出部４３から供給された放送局特定部分を、EPG情報に埋め込むための情報である。
【０１０３】
詳細には、２４行目に示される「header_length(j)」という情報は、EPG情報のうちの２４行目に対応する場所に、テレテキスト抽出部４３から供給された放送局特定部分の長さ、即ち、パターン文字列部分の文字数を記述することを意味している。
【０１０４】
具体的には例えば、図２の例のTeletext画像１１に対応するTeletext信号のヘッダ部分（その表示領域１２）のうちの「○△××  ○××  △△△  ×××」というパターン文字列部分が、放送局特定部分として抽出されている場合、スペースも１文字分と捉えると仮定すると、２４行目に示される「header_length(j)」として「１６」が記述されることになる。
【０１０５】
一方例えば、図３の例のTeletext画像２１に対応するTeletext信号のヘッダ部分（その表示領域２２）のうちの「×○○  △○×」という文字列部分が、放送局特定部分として抽出されている場合、スペースも１文字分と捉えると仮定すると、２４行目に示される「header_length(j)」として「７」が記述されることになる。
【０１０６】
４２乃至４４行目に示される「for(l=0;l<header_length[j];l++){text_chair}」という情報は、EPG情報のうちの４２乃至４４行目に対応する場所に、２４行目のheader_length(j)で長さを規定するループで、テレテキスト抽出部４３から供給された放送局特定部分、即ち、パターン文字列部分を構成する各文字のそれぞれを記述することを意味している。
【０１０７】
具体的には例えば、図２の例のTeletext画像１１に対応するTeletext信号のヘッダ部分（その表示領域１２）のうちの「○△××  ○××  △△△  ×××」というパターン文字列部分が、放送局特定部分として抽出されている場合、EPG情報のうちの４２乃至４４行目に対応する場所に、その「○△××  ○××  △△△  ×××」という文字列が記述されることになる。
【０１０８】
一方例えば、図３の例のTeletext画像２１に対応するTeletext信号のヘッダ部分（その表示領域２２）のうちの「×○○  △○×」というパターン文字列部分が、放送局特定部分として抽出されている場合、EPG情報のうちの４２乃至４４行目に対応する場所に、その「×○○  △○×」という文字列が記述されることになる。
【０１０９】
なお、その他の行の情報は、上述した非特許文献１のTable1-11に示される構造にも含まれる情報であって、その非特許文献１を参照することで当業者が容易に理解することが可能である。従って、ここでは、その他の行の情報の説明については省略する。
【０１１０】
また、当然ながら、本発明が適用されるEPG情報は、放送局装置１の放送局特定部分を含めば、その構造は特に限定されない。ただし、係る図６の構造のEPG情報を採用すると好適である。なぜならば、図６の構造のEPG情報は、従来の構造に対して上述した簡易な付加情報を単に加えた構造であり、従来の構造のEPGを利用する装置でも簡単な改造で利用可能になるからである。
【０１１１】
図５に戻り、係る図６の構造のEPG情報、即ち、放送局装置１の放送局特定部分を含むEPG情報がEPGデータストリーム生成部４６に供給されると、EPGデータストリーム生成部４６は、そのEPG情報からEPGデータストリームを生成し、EPGデータストリーム出力部４７に供給する。
【０１１２】
EPGデータストリーム出力部４７は、EPGデータストリーム生成部４６から供給されたEPGデータストリームを放送局装置１に対して出力する。なお、この場合、EPGデータストリーム出力部４７は、EPGデータストリームを、放送局装置１に対して直接出力するときもあるし、ネットワーク４を介して放送局装置１に出力するときもある。
【０１１３】
以上、図５を参照して、EPGサービスプロバイダ装置２の機能的構成例について説明した。
【０１１４】
次に、図７を参照して、ユーザ装置３の機能的構成例について説明する。
【０１１５】
ユーザ装置３は、アンテナ部６１乃至操作部７０を含むように構成される。
【０１１６】
チューナ部６２は、所定のチャンネルの放送電波、即ち例えば同図の例では放送局装置１から放送された放送電波をアンテナ部６１を介して受信し、それをビデオ信号と音声信号とに復調する。そして、チューナ部６２は、ビデオ信号と音声信号のうちの、音声信号を音声出力制御部６３に供給するとともに、ビデオ信号を映像出力制御部６５とテレテキスト抽出部６７に供給する。
【０１１７】
音声出力制御部６３は、チューナ部６２から供給された音声信号に対応する音声をスピーカ６４から出力させる。また、音声出力制御部６３は、チューナ部６２から供給された音声信号を、図示せぬ出力端子を介して外部に出力することもできる。
【０１１８】
映像出力制御部６５は、チューナ部６２から供給されたビデオ信号に対応する映像を表示部６６に表示させる。また、映像出力制御部６５は、後述する制御部６８から供給されたTeletext信号（EPG情報含む）に対応する画像、即ち例えば、図２のTeletext画像１１、図３のTeletext画像２１、図示せぬEPG等を表示部６６に表示させる。さらに、映像出力制御部６５は、チューナ部６２から供給された映像信号や、制御部６８から供給されたTeletext信号（EPG情報含む）を、図示せぬ出力端子を介して外部に出力することもできる。
【０１１９】
テレテキスト抽出部６７は、チューナ部６２から供給されたビデオ信号からTeletext信号を抽出し、制御部６８に供給する。
【０１２０】
制御部６８は、テレテキスト抽出部６７から供給されたTeletext信号にEPG情報が含まれている場合、そのEPG情報を抽出し、EPG情報記憶部６９に記憶させたり、映像出力制御部６５に供給する。なお、映像出力部６５にEPG情報が供給された場合、そのEPG情報に対応するEPGが表示部６６に表示される。
【０１２１】
また、制御部６８は、テレテキスト抽出部６７から供給されたTeletext信号を、映像出力制御部６５に供給する。この場合、そのTeletext信号に対応するTeletext画像、即ち例えば、図２のTeletext画像１１や図３のTeletext画像２１が表示部６６に表示される。
【０１２２】
さらに、制御部６８は、「EPG情報と受信チャンネルとのリンク」を行うこともできる。即ち、制御部６８は、EPG情報記憶部６９に記憶されている各EPG情報に含まれる第１の放送局特定部分と、テレテキスト抽出部６７から新たに供給されたTeletext信号に含まれる第２の放送局特定部分との比較を行うことで、「EPG情報と受信チャンネルとのリンク」を行うことができる。即ち、この場合、制御部６８により比較される第１と第２の放送局特定部分は、上述したように、Teletext信号のヘッダ部分のうちの時刻や日付の時間情報を除く前半部分、即ち、パターン文字列部分となる。
【０１２３】
なお、ユーザ装置３による、「EPG情報と受信チャンネルとのリンク」の処理のさらなる詳細例については、図１０のフローチャートを参照して後述する。
【０１２４】
操作部７０は、図示せぬユーザにより操作され、そのユーザからの各種指令を制御部６８に通知する。即ち、制御部６８は、自分自身の判断で各種処理を実行する他、操作部７０からのユーザ指令に基づいて各種処理を実行することもできる。
【０１２５】
以上、図４乃至図７を参照して、放送局装置１、EPGサービスプロバイダ装置２、および、ユーザ装置３のそれぞれの機能的構成例について説明した。
【０１２６】
次に、係る機能的構成を有する、放送局装置１、EPGサービスプロバイダ装置２、および、ユーザ装置３からなる図１の情報処理システムが実行する処理のうちの、「EPG情報と受信チャンネルとのリンク」が行われるまでの一連の処理について説明する。
【０１２７】
上述したように、係る「EPG情報と受信チャンネルとのリンク」が行われる場合、EPG情報に含まれる第１の放送局特定部分と、受信チャンネルで受信された放送電波内のTeletext信号（以下、受信信号と適宜称する）に含まれる第２の放送局特定部分とが比較される。即ち、この場合、第１と第２の放送局特定部分は、上述したように、Teletext信号のヘッダ部分のうちの時刻や日付の時間情報を除く前半部分となる。そこで、以下、EPG情報に含まれるTeletext信号のヘッダ部分（その前半部分）と、受信信号であるTeletext信号のヘッダ部分（その前半部分）とを明確に区別するために、前者をEPG情報のヘッダ部分headerと称し、後者を受信信号のヘッダ部分packetと称する。
【０１２８】
この場合、ユーザ装置３が、係る「EPG情報と受信チャンネルとのリンク」を行うための直接的な処理（以下、「リンク処理」と称する）を実行する必要がある他、さらに、次のような間接的な処理が必要になる。
【０１２９】
即ち、EPGサービスプロバイダ装置２が、ヘッダ部分headerを含むEPG情報を生成し、放送局装置１が、そのEPG情報を含むTeletext信号を放送電波として送信し、ユーザ装置３が、その放送電波からそのEPG情報を抽出して記憶する、といった一連の処理が、ユーザ装置３による「リンク処理」の他に必要である。なお、以下、このような一連の処理を、「EPG関連処理」と称する。
【０１３０】
係る「EPG関連処理」と「リンク処理」とは相互に独立した処理であって、詳細については後述するが、「EPG関連処理」は、「リンク処理」の前に実行されることもあるし、「リンク処理」の最中に実行されることもある。
【０１３１】
係る「EPG関連処理」の例が、図８と図９のフローチャートに示されている。また、係る「リンク処理」の例が、図１０のフローチャートに示されている。
【０１３２】
そこで、以下、図８乃至図１０のうちの対応する図面を参照して、「EPG関連処理」と「リンク処理」とのそれぞれの例について、その順番に個別に説明していく。
【０１３３】
はじめに、図８と図９のフローチャートを参照して、「EPG関連処理」の例について説明する。
【０１３４】
図８と図９において、図中左方から順に、EPGサービスプロバイダ装置２の「EPG関連処理」、放送局装置１の「EPG関連処理」、および、ユーザ装置３の「EPG関連処理」のそれぞれのフローチャートが示されている。また、これらの３つのフローチャートのうちの所定の１つから他の１つに引かれた矢印は、所定の情報の流れを示している。
【０１３５】
図８のステップＳ２１において、放送局装置１の図４の放送電波生成出力部３７は、放送電波を送信する。
【０１３６】
なお当然ながら、このステップＳ２１の処理で送信される放送電波は、ユーザ装置３にも受信され得る。ただし、このステップＳ２１の処理で送信される放送電波は、EPG情報がまだ含まれていないとすると、「EPG関連処理」の実行を目的とする限り、ユーザ装置３にとっては特に受信する必要がない放送電波である。そこで、以下、説明の簡略上、このステップＳ２１の処理で送信される放送電波は、EPGサービスプロバイダ装置２にのみ受信されるとする。
【０１３７】
即ち、ステップＳ１１において、EPGサービスプロバイダ装置２の図５のチューナ部４２は、ステップＳ２１の処理で放送局装置１から送信された放送電波を、アンテナ部４１を介して受信する。
【０１３８】
この放送電波からビデオ信号と音声信号とがチューナ部４２により復調されて、少なくともビデオ信号がチューナ部４２からテレテキスト抽出部４３に供給されると、処理はステップＳ１２に進む。
【０１３９】
ステップＳ１２において、テレテキスト抽出部４３は、供給されたビデオ信号からTeletext信号を抽出する。さらに、ステップＳ１３において、テレテキスト抽出部４３は、Teletext信号のヘッダ部分を抽出する。
【０１４０】
そして、ステップＳ１４において、テレテキスト抽出部４３は、抽出されたTeletext信号のヘッダ部分のうちの日付や時刻の部分（時間情報）を削除する。換言すると、ステップＳ１４において、テレテキスト抽出部４３は、抽出されたTeletext信号のヘッダ部分のうちの時間情報を除く前半部分、即ち、パターン文字列部分を抽出する。
【０１４１】
日付や時刻の部分が削除されたTeletext信号のヘッダ部分が、テレテキスト抽出部４３からEPG情報構築部４５に供給されると、処理はステップＳ１５に進む。
【０１４２】
ステップＳ１５において、EPG情報構築部４５は、供給されたTeletext信号のヘッダ部分を含むEPG情報を構築する。即ち、例えば上述した図６の構造のEPG情報が構築される。
【０１４３】
このEPG情報が、EPG情報構築部４５からEPGデータストリーム生成部４６に供給されると、処理はステップＳ１６に進む。
【０１４４】
ステップＳ１６において、EPGデータストリーム生成部４６は、供給されたEPG情報からEPGデータストリームを作成し、EPGデータストリーム出力部４７は、作成されたEPGデータストリームを放送局装置１に送信する。これにより、EPGサービスプロバイダ装置２の「EPG関連処理」は終了となる。
【０１４５】
このようにして、ステップＳ１６の処理でEPGサービスプロバイダ装置２から出力されるEPGデータストリーム（EPG情報）には、Teletext信号のヘッダ部分のうちの時間情報を除いた前半部分が、放送局装置１の放送局特定情報として含まれるのである。換言すると、ステップＳ１６の処理でEPGサービスプロバイダ装置２から出力されるEPGデータストリーム（EPG情報）には、日付や時刻の部分が削除されたTeletext信号のヘッダ部分headerが、放送局装置１の放送局特定情報として含まれるのである。
【０１４６】
EPGサービスプロバイダ装置２からEPGデータストリームが出力されると、ステップＳ２２において、放送局装置１の図４のEPGデータストリーム取得部３１は、そのEPGデータストリームを受信する。
【０１４７】
このEPGデータストリームが、EPGデータストリーム取得部３１からEPGデータストリーム重畳部３３に供給されると、処理は図９のステップＳ２３に進む。
【０１４８】
ステップＳ２３において、EPGデータストリーム重畳部３３は、EPGデータストリーム取得部３１から供給されたEPGデータストリームを、Teletext信号取得部３２から供給されたTeletext信号に含める。
【０１４９】
EPGデータストリームを含むTeletext信号が、EPGデータストリーム重畳部３３からTeletext信号挿入部３６に供給されると、処理はステップＳ２４に進む。
【０１５０】
ステップＳ２４において、Teletext信号挿入部３６は、EPGデータストリーム重畳部３３から供給されたTeletext信号を、ビデオ信号取得部３４から供給されたビデオ信号に重畳する。
【０１５１】
Teletext信号が重畳されたビデオ信号が、Teletext信号挿入部３６から放送電波生成出力部３７に供給されると、処理はステップＳ２５に進む。
【０１５２】
ステップＳ２５において、放送電波生成出力部３７は、Teletext信号挿入部３６から供給されたビデオ信号と、音声信号取得部３５から供給された音声信号とからなる放送電波を生成し、送信する。これにより、放送局装置１の「EPG関連処理」は終了となる。
【０１５３】
このようにして、ステップＳ２５の処理で放送局装置１から送信される放送電波には、Teletext信号のヘッダ部分のうちの時間情報を除いた前半部分が、放送局装置１の放送局特定情報として含まれるのである。換言すると、ステップＳ２５の処理で放送局装置１から送信される放送電波には、日付や時刻の部分が削除されたTeletext信号のヘッダ部分headerが、放送局装置１の放送局特定情報として含まれるのである。
【０１５４】
なお当然ながら、このステップＳ２５の処理で送信される放送電波は、EPGサービスプロバイダ装置２にも受信され得る。ただし、このステップＳ２５の処理の時点では、EPGサービスプロバイダ装置２の「EPG関連処理」は終了されており、EPGサービスプロバイダ装置２にとってはその放送電波を特に受信する必要がない。そこで、以下、説明の簡略上、このステップＳ２５の処理で送信される放送電波は、ユーザ装置３にのみ受信されるとする。
【０１５５】
即ち、ステップＳ３１において、ユーザ装置３の図７のチューナ部６２は、ステップＳ２５の処理で放送局装置１から送信された放送電波をアンテナ部６１を介して受信し、ビデオ信号とオーディオ（音声）信号とに分離する。
【０１５６】
このビデオ信号が、チューナ部６２からテレテキスト抽出部６７に供給されると、処理はステップＳ３２に進む。
【０１５７】
ステップＳ３２において、テレテキスト抽出部６７は、供給されたビデオ信号からTeletext信号を抽出する。
【０１５８】
このTeletext信号が、テレテキスト抽出部６７から制御部６８に供給されると、処理はステップＳ３３に進む。
【０１５９】
ステップＳ３３において、制御部６８は、供給されたTeletext信号からEPG情報を抽出する。
【０１６０】
そして、ステップＳ３４において、制御部６８は、このEPG情報をEPG情報記憶部６９に記憶させる。これにより、ユーザ装置３の「EPG関連処理」は終了となる。
【０１６１】
このようにして、ステップＳ３４の処理でユーザ装置３に記憶されるEPG情報には、Teletext信号のヘッダ部分のうちの時間情報を除いた前半部分が、放送局装置１の放送局特定情報として含まれるのである。換言すると、ステップＳ３４の処理でユーザ装置３に記憶されるEPG情報には、日付や時刻の部分が削除されたTeletext信号のヘッダ部分headerが、放送局装置１の放送局特定情報として含まれるのである。
【０１６２】
以上、図８と図９のフローチャートを参照して、「EPG関連処理」の例について説明した。
【０１６３】
なお、図１の例では、情報処理システムには１台の放送局装置１のみが含まれているので、「EPG関連処理」が１回だけ実行されて、その結果として、放送局装置１の放送局特定情報を含むEPG情報のみがユーザ装置３に記憶されることになる。即ち、放送局装置１の管理を行う放送局を指し示すEPG情報のみがユーザ装置３に記憶されることになる。
【０１６４】
しかしながら、実際には、情報処理システムには複数台の放送局装置が含まれていることが多々ある。即ち、ユーザ装置３が受信可能な放送電波を送信する放送局は、複数局存在することが多々ある。このような場合、各放送局のそれぞれについて「EPG関連処理」が実行されて、その結果として、各放送局の放送局特定情報のそれぞれを含むEPG情報がユーザ装置３にそれぞれ記憶されることになる。即ち、複数の放送局のそれぞれを指し示す複数のEPG情報がユーザ装置３に記憶されることになる。
【０１６５】
次に、図１０のフローチャートを参照して、図７のユーザ装置３の「リンク処理」の例について説明する。
【０１６６】
ステップＳ５１において、ユーザ装置３は、上述した図８と図９の「EPG関連処理」が既に実行されているか否かを判定する。
【０１６７】
ユーザ装置３は、ステップＳ５１において、「EPG関連処理」がまだ実行されていないと判定した場合、即ち、EPG情報記憶部６９にEPG情報が記憶されていない場合、ステップＳ５２において、「EPG関連処理」を実行した後、処理をステップＳ５３に進める。
【０１６８】
即ち、上述したように、「EPG情報と受信チャンネルとのリンク」が行われる場合、この「リンク処理」の他、さらに、「EPG関連処理」の実行が必要になる。そこで例えば、この「リンク処理」の開始時点で「EPG関連処理」がまだ実行されていない場合、ステップＳ５１の処理でNOであると判定されて、ステップＳ５２の処理で「EPG関連処理」が実行され、その後、ステップＳ５３に処理が進められるのである。
【０１６９】
これに対して、この「リンク処理」の開始時点で「EPG関連処理」が既に実行済みの場合、ステップＳ５１の処理でYESであると判定されて、ステップＳ５２の「EPG関連処理」は特に実行されずに、そのままステップＳ５３に処理が進められるのである。
【０１７０】
ステップＳ５３において、ユーザ装置３のチューナ部６２は、所定のチャンネルの放送電波をアンテナ部６１を介して受信し、ビデオ信号と音声信号とに分離する。
【０１７１】
なお、このステップＳ５３の処理で受信された放送電波は、図１の例では放送局装置１からの放送電波となるが、上述したように、このステップＳ５３の処理直後の時点では、ユーザ装置３は、受信チャンネルで受信された放送電波の送信元、即ち、受信チャンネルが割り付けられた放送局を特定することはできない。即ち、このステップＳ５３の処理の時点では、受信チャンネルと放送局との対応付けがまだ行われていない。そこで、ユーザ装置３は、受信チャンネルと放送局との対応付けを行うために、次のステップＳ５４以降の処理を実行するのである。
【０１７２】
即ち、このビデオ信号が、チューナ部６２からテレテキスト抽出部６７に供給されると、処理はステップＳ５４に進む。
【０１７３】
ステップＳ５４において、テレテキスト抽出部６７は、供給されたビデオ信号からTeletext信号（受信信号）を抽出する。
【０１７４】
このTeletext信号が、テレテキスト抽出部６７から制御部６８に供給されると、処理はステップＳ５５に進む。
【０１７５】
ステップＳ５５において、制御部６８は、このTeletext信号にCNIが含まれているか否かを判定する。
【０１７６】
ステップＳ５５において、Teletext信号にCNIが含まれていると判定された場合、処理はステップＳ５６に進む。
【０１７７】
ステップＳ５６において、制御部６８は、CNIを用いて「EPG情報と受信チャンネルとのリンク」を行う。即ち、ステップＳ５６の処理では、従来の「EPG情報と受信チャンネルとのリンク」が行われる。これにより、ユーザ装置３の「リンク処理」は終了となる。
【０１７８】
これに対して、Teletext信号（受信信号）にCNIが含まれていない場合、CNIを用いる従来の「EPG情報と受信チャンネルとのリンク」の実行は不可能である。そこで、このような場合、ステップＳ５５の処理でNOであると判定されて、処理はステップＳ５７に進む。
【０１７９】
ステップＳ５７において、制御部６８は、Teletext信号（受信信号）に含まれる放送局特定情報、即ち、上述した受信信号のヘッダ部分packetを抽出する。
【０１８０】
また、ステップＳ５８において、制御部６８は、EPG情報記憶部６９から所定の１つのEPG情報を取得し、そのEPG情報に含まれる放送局特定情報、即ち、上述したEPG情報のヘッダ部分headerを抽出する。
【０１８１】
そして、ステップＳ５９において、制御部６８は、受信信号のヘッダ部分packetと、EPG情報のヘッダ部分headerとを比較する。より正確には、ステップＳ５９の処理では、受信信号のヘッダ部分packetのうちの時間情報を除く前半部分と、時間情報が既に除外されているEPG情報のヘッダ部分headerとが比較される。
【０１８２】
以下、係るステップＳ５９の処理を「packetとheaderとの比較処理」と称する。この「packetとheaderとの比較処理」の詳細例については、図１１のフローチャートを参照して後述する。
【０１８３】
ステップＳ６０において、制御部６８は、直前のステップＳ５９の「packetとheaderとの比較処理」の結果として、「一致」という結果が出力されたか否かを判定する。
【０１８４】
直前のステップＳ５９の「packetとheaderとの比較処理」の結果として「不一致」という結果が出力された場合、即ち、受信信号のヘッダ部分packetと、EPG情報のヘッダ部分headerとが異なる場合、受信チャンネルが割り当てられた放送局は、ヘッダ部分headerを含むEPG情報が指し示す放送局とは異なることを意味する。そこで、このような場合、ステップＳ６０の処理でNOであると判定されて、処理はステップＳ５８に戻され、それ以降の処理が繰り返される。即ち、ステップＳ５８の処理では、これまでとは異なるEPG情報が抽出され、ステップＳ５９の処理では、そのEPG情報のヘッダ部分headerが抽出され、ステップＳ５９の「packetとheaderとの比較処理」では、そのEPG情報のヘッダ部分headerと、受信信号のヘッダ部分packetとが比較される。
【０１８５】
このようなステップＳ５８乃至Ｓ６０のループ処理は、ステップＳ５９の「packetとheaderとの比較処理」の結果として「一致」という結果が出力されるまで、繰り返し実行される。
【０１８６】
なお、EPG情報記憶部６９に記憶されている全てのEPG情報についてのステップＳ５９の「packetとheaderとの比較処理」の結果として、全て「不一致」という結果が出力された場合もあり得る。即ち、受信信号のヘッダ部分packetと一致するヘッダ部分headerを含むEPG情報が１つもEPG情報記憶部６９に記憶されていない場合もあり得る。このような場合、図示はしないが例えば、ユーザ装置３は、図８と図９の「EPG関連処理」を再度実行することで新たなEPG情報を取得し、この新たなEPG情報について、ステップＳ５８乃至Ｓ６０のループ処理を実行すればよい。
【０１８７】
係るステップＳ５８乃至Ｓ６０のループ処理の最中に、とあるEPG情報についてのステップＳ５９の「packetとheaderとの比較処理」の結果として、「一致」という結果が出力された場合には、次のステップＳ６０の処理でYESであると判定されて、処理はステップＳ６１に進む。
【０１８８】
ステップＳ６１において、制御部６３は、受信信号のヘッダ部分packetと同一のヘッダ部分headerを含むEPG情報と、その受信信号（放送電波）の受信チャンネルとについての「EPG情報と受信チャンネルとのリンク」を行う。
【０１８９】
これにより、ユーザ装置３の「リンク処理」は終了となる。
【０１９０】
ここで、図１１のフローチャートを参照して、ステップＳ５９の「packetとheaderとの比較処理」の詳細例について説明する。
【０１９１】
ステップＳ８１において、制御部６３は、文字順番iを１に初期設定する（i=1）。
【０１９２】
ステップＳ８２において、制御部６３は、「header_chair(i)=packet_chair(i)」であるか否かを判定する。なお、header_chair(i)とは、EPG情報のヘッダ部分headerのうちの先頭からi番目の文字を指す。また、packet_chair(i)とは、受信信号のヘッダ部分packetのうちの先頭からi番目の文字を指す。即ち、ステップＳ８２の処理とは、EPG情報のヘッダ部分headerのうちの先頭からi番目の文字と、受信信号のヘッダ部分packetのうちの先頭からi番目の文字とが一致するか否かを判定する処理である。
【０１９３】
ステップＳ８２において、「header_chair(i)=packet_chair(i)」ではないと判定された場合、即ち、EPG情報のヘッダ部分headerのうちの先頭からi番目の文字と、受信信号のヘッダ部分packetのうちの先頭からi番目の文字とが不一致の場合、処理はステップＳ８６に進む。
【０１９４】
ステップＳ８６において、制御部６３は、「不一致」という結果を出力する。これにより、図１０のステップＳ５９の「packetとheaderとの比較処理」は終了し、処理はステップＳ６０に進むことになる。即ち、この場合、ステップＳ６０の処理でNOであると判定されて、処理はステップＳ５８に戻され、それ以降の処理が繰り返されることになる。
【０１９５】
これに対して、ステップＳ８２において、「header_chair(i)=packet_chair(i)」であると判定された場合、即ち、EPG情報のヘッダ部分headerのうちの先頭からi番目の文字と、受信信号のヘッダ部分packetのうちの先頭からi番目の文字とが一致する場合、処理はステップＳ８３に進む。
【０１９６】
ステップＳ８３において、制御部６３は、文字順番iを１だけインクリメントする（i=1+1）。
【０１９７】
ステップＳ８４において、制御部６３は、「i>header_length」であるか否かを判定する。header_lengthとは、図６の例のEPG情報の構造の説明として上述したように、EPG情報のヘッダ部分headerの文字列の長さ（文字数）を示している。
【０１９８】
即ち、制御部６３は、受信信号のヘッダ部分packetのうちの時間情報を除く前半部分、即ち、パターン文字列部分が、EPG情報のヘッダ部分headerと一致するか否かを確認すれば足り、このため、iがheader_lengthを超えるまでは、ステップＳ８４の処理でNOであると判定され、ステップＳ８２に戻され、それ以降の処理が繰り返される。即ち、EPG情報のヘッダ部分headerと受信信号のヘッダ部分packetとが、先頭からheader_length番目まで１文字単位で順次比較されていくのである。
【０１９９】
そして、EPG情報のヘッダ部分headerと受信信号のヘッダ部分packetとの、先頭からheader_length番目までの比較において、１文字でも異なる文字が発見された場合には、その時点のステップＳ８２の処理でNOであると直ちに判定されて、ステップＳ８６の処理で「不一致」という結果が出力されるのである。
【０２００】
これに対して、EPG情報のヘッダ部分headerと受信信号のヘッダ部分packetとの比較において、先頭からheader_length番目までの全文字が一致する場合には、i=header_length+1となった後のステップＳ８４の処理でYESであると判定されて、処理はステップＳ８５に進む。
【０２０１】
ステップＳ８５において、制御部６３は、「一致」という結果を出力する。これにより、図１０のステップＳ５９の「packetとheaderとの比較処理」は終了し、処理はステップＳ６０に進むことになる。即ち、この場合、ステップＳ６０の処理でYESであると判定されて、処理はさらにステップＳ６１に進むことになる。
【０２０２】
以上、図１０と図１１のフローチャートを参照して、ユーザ装置３の「リンク処理」について説明した。
【０２０３】
なお、図１の例では、情報処理システムには１台の放送局装置１が含まれているので、「リンク処理」が１回だけ実行されて、その結果として、放送局装置１についての「EPG情報と受信チャンネルとのリンク」のみが行われる。
【０２０４】
しかしながら、実際には、情報処理システムには複数台の放送局装置が含まれていることが多々ある。即ち、ユーザ装置が受信可能な放送電波を放送する放送局は、複数局存在することが多々ある。このような場合、各放送局のそれぞれについて「リンク処理」が実行されることになる。この場合、各放送局のそれぞれに割り当てられたチャンネルが順次受信チャンネルに設定されて、各放送局のそれぞれについての「EPG情報と受信チャンネルとのリンク」が順次行われることになる。
【０２０５】
例えば、ユーザ装置３がＮチャンネル（Ｎは任意の整数値）の放送局を設定できる場合、即ち、ユーザ装置３にはＮポイントが予め用意され、Ｎポイントのそれぞれに対して所定の１つのチャンネルを割り当てることが可能な場合、Ｎポイントのそれぞれについて「リンク処理」が実行されることになる。この場合、各放送局のそれぞれに割り当てられたチャンネルがＮポイントのそれぞれに順次設定され、Ｎポイントのそれぞれが受信チャンネルに順次設定されて、Ｎポイントのそれぞれについての「EPG情報と受信チャンネルとのリンク」が順次行われることになる。
【０２０６】
なお、Ｎポイントのそれぞれについての「リンク処理」の実行タイミングは特に限定されず、任意のタイミングでよい。具体的には例えば、ユーザがユーザ装置３を初めて使用するとき、インストール作業の一環として、操作部７０を操作して「リンク処理」の開始を指示してもよい。また、欧州では放送局の構成が変わることが多いので、所定の期間が経過する毎に、ユーザ装置３が自分自身の判断で「リンク処理」を自動的に開始させてもよい。
【０２０７】
以上、図８乃至図１１を参照して、図１の情報処理システムによる「EPG関連処理」と「リンク処理」とについて説明した。
【０２０８】
図１の情報処理システムは、係る「EPG関連処理」と「リンク処理」とを実行することで、CNIを送出しない放送局についても、「EPG情報と受信チャンネルとのリンク」を確実に行うことが可能になる。即ち、上述した従来の課題を解決することが可能になる。
【０２０９】
なお、「EPG関連処理」と「リンク処理」とで利用される放送局特定情報は、上述した図８乃至図１１の例では、Teletext信号のヘッダ部分のうちの時間情報を除く前半部分、即ち、パターン文字列部分が採用されたが、上述したように、係るパターン文字列部分に限定されず任意の情報でよい。
【０２１０】
即ち、欧州以外の地域で図１の情報処理システムが利用される場合であっても、放送局装置１から送信される放送データのうちの、放送局装置１の管理を行う放送局の特定が可能な任意な情報を放送局特定情報として採用することができる。この場合も当然ながら、図１の情報処理システムは、「EPG関連処理」と「リンク処理」とを同様に実行することができる。従って、この場合も、「EPG情報と受信チャンネルとのリンク」を確実に行うことが可能になる。即ち、上述した従来の課題を解決することが可能になる。
【０２１１】
さらに、放送局装置１から送信される放送データや放送番組（映像信号や音声信号）は、上述した例では放送電波として無線送信されるとしたが、その送信形態は特に上述した例に限定されず、有線送信でもよいし、或いは、有線送信と無線送信との組合せでもよい。また、この場合、所定のネットワークを１以上介在する送信であってもよいし、ネットワークを介在しなくてもよい。
【０２１２】
ところで、上述した一連の処理は、ハードウエアにより実行させることもできるが、ソフトウエアにより実行させることができる。
【０２１３】
この場合、図１の情報処理システムを構成する各装置、即ち、放送局装置１、EPGサービスプロバイダ装置２、および、ユーザ装置３のそれぞれは、例えば、図１２に示されるようなコンピュータで構成することができる。
【０２１４】
図１２において、CPU（Central Processing Unit）１０１は、ROM（Read Only Memory）１０２に記録されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【０２１５】
CPU１０１、ROM１０２、およびRAM１０３は、バス１０４を介して相互に接続されている。このバス１０４にはまた、入出力インタフェース１０５も接続されている。
【０２１６】
入出力インタフェース１０５には、キーボード、マウスなどよりなる入力部１０６、表示装置やスピーカなどよりなる出力部１０７、ハードディスクなどより構成される記憶部１０８、および、通信部１０９が接続されている。通信部１０９は、例えば、モデム、ターミナルアダプタ、アンテナ部とチューナ部との組合せ、アンテナ部と放送電波生成出力部との組合せなどより構成される。この通信部１０９は、インターネットを含むネットワーク（図１のネットワーク４も含む）を介して他の装置との通信処理を行う。通信部１０９はまた、必要に応じて、放送電波を送信したり受信することもできる。
【０２１７】
入出力インタフェース１０５にはまた、必要に応じてドライブ１１０が接続され、磁気ディスク、光ディスク、光磁気ディスク、或いは半導体メモリなどよりなるリムーバブル記録媒体１１１が適宜装着され、それらから読み出されたコンピュータプログラムが、必要に応じて記憶部１０８にインストールされる。
【０２１８】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２１９】
このようなプログラムを含む記録媒体は、図１２に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini Disk）を含む）、もしくは半導体メモリなどよりなるリムーバブル記録媒体（パッケージメディア）１１１により構成されるだけでなく、装置本体に予め組み込まれた状態でユーザに提供される、プログラムが記録されているRAM１０３や、記憶部１０８に含まれるハードディスクなどで構成される。
【０２２０】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０２２１】
また、本明細書において、システムとは、複数の装置や処理部により構成される装置全体を表すものである。
【図面の簡単な説明】
【０２２２】
【図１】本発明が適用される情報処理システム、即ち、本発明が適用される情報処理装置からなる情報処理システムの構成例を示すブロック図である。
【図２】図１の放送局装置が放送する放送電波に含まれるTeretext信号に対応するTeletext画像の例を示す図である。
【図３】図１の放送局装置が放送する放送電波に含まれるTeretext信号に対応するTeletext画像の他の例を示す図である。
【図４】図１の放送局装置の機能的構成例を示すブロック図である。
【図５】図１のEPGサービスプロバイダ装置の機能的構成例を示すブロック図である。
【図６】本発明が適用されるEPG情報の構造例を示す図である。
【図７】図１のユーザ装置の機能的構成例を示すブロック図である。
【図８】図１の情報処理システムが実行する「EPG関連処理」の例を説明するフローチャートである。
【図９】図１の情報処理システムが実行する「EPG関連処理」の例を説明するフローチャートである。
【図１０】図１の情報処理システムのうちのユーザ装置が実行する「リンク処理」の例を説明するフローチャートである。
【図１１】図１０の「リンク処理」のうちの「packetとheaderとの比較処理」の詳細例を説明するフローチャートである。
【図１２】図１の情報処理システムを構成する、放送局装置、EPGサービスプロバイダ装置、ユーザ装置のうちの少なくとも１つのハードウエア構成例を示すブロック図である。
【符号の説明】
【０２２３】
１  放送局装置１  EPGサービスプロバイダ装置，  ３  ユーザ装置３  ネットワーク，  １１  Teletext画像，  １２  Teletextヘッダ部分表示用領域，  ２１  Teletext画像２１  Teletextヘッダ部分表示用領域，  ３１  EPGデータストリーム取得部，  ３２  Teletext信号取得部，  ３３  EPGデータストリーム重畳部，  ３４  ビデオ信号取得部，  ３５  音声信号取得部，  ３６  Teletext信号挿入部，  ３７  放送電波生成出力部，  ４１  アンテナ部，  ４２  チューナ部，  ４３  テレテキスト抽出部，  ４４  EPGデータベース，  ４５  EPG情報構築部，  ４６  EPGデータストリーム生成部，  ４７  EPGデータストリーム出力部，  ６１  アンテナ部，  ６２  チューナ部，  ６３  音声出力制御部，  ６４  スピーカ，  ６５  映像出力制御部，  ６６  表示部，  ６７  テレテキスト抽出部，  ６８  制御部，  ６９  EPG情報記憶部，  ７０  操作部，  １０１  CPU，  １０２  ROM，  １０３  RAM，  １０８  記憶部，  １１１  リムーバブル記録媒体
【図１】
2006100938.tif 000003
【図２】
2006100938.tif 000004
【図３】
2006100938.tif 000005
【図４】
2006100938.tif 000006
【図５】
2006100938.tif 000007
【図６】
2006100938.tif 000008
【図７】
2006100938.tif 000009
【図８】
2006100938.tif 000010
【図９】
2006100938.tif 000011
【図１０】
2006100938.tif 000012
【図１１】
2006100938.tif 000013
【図１２】
2006100938.tif 000014